(57)【要約】【課題】正確かつ記入ミスがなく、手間のかからない加盟店から本部への送金方法及び送金システムを提供する。【解決手段】加盟店での売上及び預かり金の合計金額を計算する計算手段２２と、合計金額をサーバ３０に送信する送信手段２４と、加盟店での売上金額を収納代行用振込用紙の金額記入欄に印刷する印刷手段２６を備えた加盟店側のコンピュータ２０と、加盟店の識別情報を記憶する識別情報記憶手段３２と、受信した売上金額を識別情報に基づいて、加盟店ごとに記憶する売上金額等記憶手段３４と、加盟店からの送金金額と、売上金額と一致するかを確認する確認手段３６と、加盟店からの送金金額と合計金額とが一致しない場合には警告を表示する表示手段３８と、送信手段４４を備えた本部側の本部側サーバ３０と、識別情報記憶手段５２と、売上金額等記憶手段５４と、送信手段５６を備えた収納代行会社側サーバ５０から構成された送金システム。【選択図】図２
2010182006.tif 000002
【特許請求の範囲】
【請求項１】
複数の加盟店と本部からなるチェーンの、前記加盟店から本部への送金に用いることのできる収納代行用振込用紙であって、
送金金額を記入するために空欄とされた金額記入欄と、
前記加盟店を識別する識別情報が記載された依頼人表示欄と、
前記本部の銀行口座の口座番号が記載された受取人表示欄を有することを特徴とする収納代行用振込用紙。
【請求項２】
請求項１において、
前記依頼人表示欄には、前記識別情報を表すバーコードが印刷されていることを特徴とする収納代行用振込用紙。
【請求項３】
複数の加盟店と本部からなるチェーンの前記加盟店側に設置されるコンピュータと、本部側に設置され、前記コンピュータと通信ネットワークを介して接統される本部側サーバと、収納代行会社に設置され、前記コンピュータ及び／又は前記本部側サーバと通信ネットワークを介して接統される収納代行会社側サーバからなる送金システムにおいて、
前記コンピュータは、前記加盟店での売上及び預かり金の合計金額を計算する計算手段と、
前記合計金額及び前記加盟店の識別情報を前記本部側サーバ及び／又は前記収納代行会社側サーバに前記通信ネットワークを介して送信する送信手段と、
前記合計金額を請求項１または２の収納代行用振込用紙の金額記入欄に印刷する印刷手段を備え、
前記本部側サーバは、
前記加盟店の識別情報を記憶する識別情報記憶手段と、
前記コンピュータから前記通信ネットワークを介して受信した前記合計金額を前記識別情報に基づいて、前記加盟店ごとに記憶する売上金額等記憶手段と、
前記加盟店からの送金金額と、前記合計金額とが一致するかを確認する確認手段
を備えることを特徴とする送金システム。
【請求項４】
請求項３において、
前記本部側サーバは、前記加盟店からの送金金額と、前記売上金額とが一致しない場合には警告を表示する表示手段を備えることを特徴とする送金システム。
【請求項５】
請求項３または４において、
前記本部側サーバは、前記加盟店からの送金金額と前記売上金額とが一致しない場合には、警告を前記コンピュータへ送信する送信手段を備えることを特徴とする送金システム。
【請求項６】
請求項５において、
前記本部側サーバの前記送信手段は、さらに、前記コンピュータから前記通信ネットワークを介して受信した前記合計金額及び前記識別情報を、前記収納代行会社側サーバに前記通信ネットワークを介して送信するようにされていることを特徴とする送金システム。
【請求項７】
請求項３乃至６のいずれかにおいて、
前記収納代行会社側サーバは、
前記加盟店の識別情報を記憶する識別情報記憶手段と、
前記コンピュータ及び／又は前記本部側サーバから前記通信ネットワークを介して受信した前記合計金額を前記識別情報に基づいて、前記加盟店ごとに記憶する売上金額等記憶手段と、
前記加盟店からの送金金額及び前記加盟店の識別情報を、前記本部側サーバに、前記通信ネットワークを介して送信する送信手段を備えることを特徴とする送金システム。
【発明の詳細な説明】
【技術分野】
【０００１】
本発明は、複数の加盟店と本部からなるチェーンの、加盟店から本部への送金を収納代行会社に委託して行うために、各加盟店専用の収納代行用振込用紙を用いた送金システムに関する。
【背景技術】
【０００２】
コンビニエンスストア等の、複数の加盟店と本部からなりチェーン展開をする業態においては、売上金・預かり金等の金銭の管理が重要である。警備上の観点からも、多額の現金を加盟店側に留めておくことは好ましくない。従って、各加盟店における１日分の売上金・預かり金の金額を毎日本部に送金することが通常である。従来、加盟店から本部への送金は、銀行振込によって行われていた。しかしながら、この方法では、毎回振込用紙に送金金額を記入しなければならず、手間がかかり、また、記入ミスが起きる可能性があった。記入ミスがあった際には、売上金額と実際に送金された金額が異なることとなる。このような場合、本部側で、加盟店から本部に送付される売上日報等に記載された売上金額・預かり金の金額と、送金金額を照合し、過不足分の金額を再度送金するよう指示するか、返金手続を行う必要があり、事務処理が煩雑である。
【０００３】
例えば、簡便な料金収納方法及び料金収納システムとして、特許文献１に示す、携帯電話業者が電話料金を回収するために、代行業務用の収納票を発行する必要がない携帯電話を利用した料金収納方法及び携帯電話を利用した料金収納システムがある。
【先行技術文献】
【特許文献】
【０００４】
【特許文献１】特開２００３−３３７９１１号公報
【発明の概要】
【発明が解決しようとする課題】
【０００５】
しかしながら、上記料金収納方法及び料金収納システムは、携帯電話を用いて、コンビニエンスストア等の店舗にて料金を収納するようにしたものであり、加盟店から本部への送金に用いることはできない。他の方法で、より正確に、手間のかからない加盟店から本部への送金方法及び送金システムが必要とされていた。
【０００６】
本発明は、上記問題に鑑みてなされたものであり、送金の度に送金金額を手書きで記入する必要がなく、記入ミスのない収納代行用振込用紙を利用し、送金金額の過不足がない送金システムに関する。
【課題を解決するための手段】
【０００７】
本発明者は、鋭意検討した結果、加盟店から本部への送金に、空欄とされた金額記入欄を有する各加盟店専用の収納代行用振込用紙を用いて、加盟店で送金金額を印刷するようにし、送金金額を加盟店側のコンピュータから本部側のサーバ及び／又は前記収納代行会社側サーバへ送信する送金システムにより上記課題を解決できることを見出した。
【０００８】
即ち、以下の実施例により上記課題を解決することができる。
【０００９】
（１）複数の加盟店と本部からなるチェーンの、前記加盟店から本部への送金に用いることのできる収納代行用振込用紙であって、送金金額を記入するために空欄とされた金額記入欄と、前記加盟店を識別する識別情報が記載された依頼人表示欄と、前記本部の銀行口座の口座番号が記載された受取人表示欄を有することを特徴とする収納代行用振込用紙。
【００１０】
（２）前記依頼人表示欄には、前記識別情報を表すバーコードが印刷されていることを特徴とする（１）に記載の収納代行用振込用紙。
【００１１】
（３）複数の加盟店と本部からなるチェーンの前記加盟店側に設置されるコンピュータと、本部側に設置され、前記コンピュータと通信ネットワークを介して接統される本部側サーバと、収納代行会社に設置され、前記コンピュータ及び／又は前記本部側サーバと通信ネットワークを介して接統される収納代行会社側サーバからなる送金システムにおいて、前記コンピュータは、前記加盟店での売上及び預かり金の合計金額を計算する計算手段と、前記合計金額及び前記加盟店の識別情報を前記本部側サーバ及び／又は前記収納代行会社側サーバに前記通信ネットワークを介して送信する送信手段と、前記合計金額を（１）または（２）に記載の収納代行用振込用紙の金額記入欄に印刷する印刷手段を備え、前記本部側サーバは、前記加盟店の識別情報を記憶する識別情報記憶手段と、前記コンピュータから前記通信ネットワークを介して受信した前記合計金額を前記識別情報に基づいて、前記加盟店ごとに記憶する売上金額等記憶手段と、前記加盟店からの送金金額と、前記売上金額とが一致するかを確認する確認手段を備えることを特徴とする送金システム。
【００１２】
（４）前記本部側サーバは、前記加盟店からの送金金額と、前記売上金額とが一致しない場合には警告を表示する表示手段を備えることを特徴とする（３）に記載の送金システム。
【００１３】
（５）前記本部側サーバは、前記加盟店からの送金金額と前記売上金額とが一致しない場合には、警告を前記コンピュータへ送信する送信手段を備えることを特徴とする（３）または（４）に記載の送金システム。
【００１４】
（６）前記本部側サーバの前記送信手段は、さらに、前記コンピュータから前記通信ネットワークを介して受信した前記合計金額及び前記識別情報を、前記収納代行会社側サーバに前記通信ネットワークを介して送信するようにされていることを特徴とする（５）に記載の送金システム。
【００１５】
（７）前記収納代行会社側サーバは、前記加盟店の識別情報を記憶する識別情報記憶手段と、前記コンピュータ及び／又は前記本部側サーバから前記通信ネットワークを介して受信した前記合計金額を前記識別情報に基づいて、前記加盟店ごとに記憶する売上金額等記憶手段と、前記加盟店からの送金金額及び前記加盟店の識別情報を、前記本部側サーバに、前記通信ネットワークを介して送信する送信手段を備えることを特徴とする（３）乃至（６）のいずれかに記載の送金システム。
【発明の効果】
【００１６】
本発明によれば、加盟店から本部への送金の際に、毎回手書きで送金金額を記入する必要がなく、記入ミスのない収納代行用振込用紙、及び送金金額の過不足がない送金システムを提供することができる。
【００１７】
また、加盟店から本部への送金を収納代行会社に委託して行うことができるため、通常の銀行振込の際に必要な、身分証の提示などの本人確認が不要となる。
【００１８】
さらに、収納代行会社にとっても、各加盟店に専用の収納代行用振込用紙を発送する必要がなくなる。
【図面の簡単な説明】
【００１９】
【図１】本発明の実施例に係る収納代行用振込用紙を示す図
【図２】本発明の実施例に係る送金システムを構成するコンピュータ及びサーバを示す模式図
【図３】本発明の実施例に係る送金システムの動作を示す処理フロー図
【図４】本発明の実施例に係る送金システムの動作を示す処理フロー図
【図５】本発明の実施例に係る送金システムの動作を示す処理フロー図
【図６】本発明の実施例に係る送金システムの他の構成のコンピュータ及びサーバを示す模式図
【図７】収納代行の仕組みを示す説明図
【発明を実施するための最良の形態】
【００２０】
以下、本発明の実施例について、図面を参照して詳細に説明する。
【実施例】
【００２１】
加盟店から送金をする際には、図１に示されるような、本発明の実施例に係る収納代行用振込用紙１０を用いて銀行振込により行われる。この収納代行用振込用紙１０は、送金金額を記入するために空欄とされた金額記入欄と、加盟店を識別する識別情報が記載され、この識別情報を表すバーコードが印刷された依頼人表示欄と、本部の銀行口座の口座番号が記載された受取人表示欄を有する。
【００２２】
なお、通常、収納代行においては収納代行会社または企業等が振込用紙を商品等の購入者に送付するが、この振込用紙には、予め送金金額が記入されている。
【００２３】
ここで、収納代行の仕組みを説明する。収納代行とは、販売業者や収納委託者である企業等が、エンドユーザー等の請求先から売上代金を回収するにあたり、その業務を代行することをいう。実際には、図７に示されるように、収納代行会社または企業等が商品等の購入者に振込用紙を送付し、商品等の購入者はその振込用紙を用いて銀行やコンビニエンスストア等の窓口で支払を行う。料金が支払われたことを示す収納結果が銀行やコンビニエンスストアから収納代行会社に通知され、銀行やコンビニエンスストアから振込用紙付属の払い込み票が収納代行会社に送付される。収納代行会社は、企業等に商品等購入者が振り込んだ金額を引渡す。
【００２４】
図２に示されるように、本発明の実施例に係る送金システムは、チェーンの加盟店側に設置されたコンピュータ２０と、チェーンの本部側に設置された本部側サーバ３０と、収納代行会社側に設置された収納代行会社側サーバ５０を含んで構成される。
【００２５】
コンピュータ２０は、計算手段２２と、送信手段２４と、印刷手段２６とを含んで構成される。
【００２６】
計算手段２２は、中央処理装置（ＣＰＵ：Ｃｅｎｔｒａｌ  Ｐｒｏｃｅｓｓｉｎｇ  Ｕｎｉｔ）であり、加盟店での売り上げ及び預かり金の合計金額を計算するようにされている。
【００２７】
送信手段２４は、有線通信装置又は無線通信装置であり、合計金額及び加盟店の識別情報を、本部側サーバ３０に通信ネットワークを介して送信されるようにされている。また、合計金額及び加盟店の識別情報を、収納代行会社側サーバ５０に通信ネットワークを介して送信可能とされている。
【００２８】
印刷手段２６は、プリンタ等の印刷装置であり、合計金額を加盟店専用の収納代行用振込用紙の金額記入欄に印刷するようにされている。
【００２９】
売上金額を送信する際は、コンピュータ２０は、図３に示すフローに従って動作する。
【００３０】
まず、売り上げ及び預かり金の合計金額を計算する（ステップＳ１０）。次に、合計金額及び加盟店の識別情報を本部側サーバ３０に通信ネットワークを介して送信する（ステップＳ１２）。次に、合計金額及び加盟店の識別情報を、収納代行会社側サーバ５０に通信ネットワークを介して送信する（ステップＳ１４）。次に、加盟店専用の収納代行用振込用紙１０に合計金額を印刷する（ステップＳ１６）。
【００３１】
なお、ステップＳ１４は省略することも可能である。省略する場合は、ステップＳ１２からステップＳ１６に遷移することとなる。
【００３２】
本部側サーバ３０は、識別情報記憶手段３２と、売上金額等記憶手段３４と、確認手段３６と、表示手段３８と、送信手段４４とを含んで構成される。
【００３３】
識別情報記憶手段３２は、ハードディスク等の記録媒体であり、加盟店の識別情報を記憶するようにされている。
【００３４】
売上金額等記憶手段３４は、ハードディスク等の記録媒体であり、加盟店から送信された合計金額を識別情報に基づいて、加盟店ごとに記憶するようにされている。
【００３５】
確認手段３６は、中央処理装置であり、加盟店からの送金金額と、合計金額とが一致するかを確認するようにされている。
【００３６】
表示手段３８は、ディスプレイ等の表示装置であり、加盟店からの送金金額と合計金額とが一致しない場合には警告を表示するようにされている。
【００３７】
送信手段４４は、有線通信装置又は無線通信装置であり、加盟店からの送金金額と合計金額とが一致しない場合に、加盟店側に通信ネットワークを介して警告を送信するようにされている。また、加盟店から受信した合計金額及び加盟店の識別情報を、収納代行会社側サーバ５０に通信ネットワークを介して送信可能とされている。
【００３８】
売上金額・預かり金の合計金額を受信すると、本部側サーバ３０は、図４に示すフローに従って動作する。
【００３９】
まず、受信した合計金額を識別情報に基づいて加盟店ごとに記憶する（ステップＳ２０）。次に、合計金額及び加盟店の識別情報を収納代行会社側サーバ５０に通信ネットワークを介して送信する（ステップＳ２２）。次に、加盟店からの送金金額と、受信した合計金額が一致するかを確認する（ステップＳ２４）。一致する場合には終了し、一致しない場合には、ディスプレイに警告を表示する（ステップＳ２６）。次に、加盟店のコンピュータ２０に警告を送信する（ステップＳ１６）。
【００４０】
なお、ステップＳ２２は省略することも可能である。省略する場合は、ステップＳ２０からステップＳ２４に遷移することとなる。
【００４１】
また、ステップＳ２６は省略することも可能である。省略する場合は、ステップＳ２４からステップＳ２８に遷移することとなる。
【００４２】
収納代行会社側サーバ５０は、識別情報記憶手段５２と、売上金額等記憶手段５４と、送信手段５６とを含んで構成される。
【００４３】
識別情報記憶手段５２は、ハードディスク等の記録媒体であり、加盟店の識別情報を記憶するようにされている。
【００４４】
売上金額等記憶手段５４は、ハードディスク等の記録媒体であり、加盟店もしくは本部からネットワークを介して受信した合計金額を識別情報に基づいて、加盟店ごとに記憶するようにされている。
【００４５】
送信手段５６は、有線通信装置又は無線通信装置であり、加盟店からの送金金額及び加盟店の識別情報を本部側サーバ３０へ通信ネットワークを介して送信するようにされている。
【００４６】
売上金額・預かり金の金額を受信すると、収納代行会社側サーバ５０は、図５に示すフローに従って動作する。
【００４７】
まず、受信した合計金額を識別情報に基づいて加盟店ごとに記憶する（ステップＳ３０）。次に、加盟店から送金された金額と加盟店の識別情報を本部側サーバ３０に通信ネットワークを介して送信する（ステップＳ２２）。
【００４８】
図２に、図４のフローチャートでステップＳ２２を省略した場合の送金システムを示す。この場合、各加盟店の売り上げ及び預かり金の合計金額は、コンピュータ２０から本部側サーバ３０及び収納代行会社側サーバ５０に送信される。
【００４９】
図６に、図３のフローチャートでステップＳ１４を省略した場合の送金システムを示す。この場合、各加盟店の売り上げ及び預かり金の合計金額は、コンピュータ２０から本部側サーバ３０に送信され、本部側サーバ３０から収納代行会社側サーバ５０に送信される。
【００５０】
電話、ＦＡＸ等により送金金額の通知を行う場合には、本発明の実施例に係る収納代行用振込用紙の金額記入欄に手書きで送金金額を記入するようにしてもよい。この場合は、バーコードを省略してもよい。
【００５１】
なお、実際には、コンビニエンスストア等では収納代行を利用する際の上限が定められているが、本発明は、上限金額に関わらず実施可能である。
【符号の説明】
【００５２】
１０…収納代行用振込用紙
２０…コンピュータ
２２…計算手段
２４、４４、５６…送信手段
２６…印刷手段
３０…本部側サーバ
３２、５２…識別情報記憶手段
３４、５４…売上金額等記憶手段
３６…確認手段
３８…表示手段
５０…収納代行会社側サーバ
【図１】
2010182006.tif 000003
【図２】
2010182006.tif 000004
【図３】
2010182006.tif 000005
【図４】
2010182006.tif 000006
【図５】
2010182006.tif 000007
【図６】
2010182006.tif 000008
【図７】
2010182006.tif 000009